(57)【要約】【課題】軸方向に短小化できて、複数台を直列状に連結することも容易となり、且つ、各構成部材を自由に取替えることにより、多様な揚送物の性状に適応した有効な揚送を行わせることのできる、ユニット式中空軸ポンプの提供。【解決手段】ステータ２内に嵌合されたロータの軸心を中空軸３として該中空軸３の内周面に液体移送手段４ａ（４ｂ）を設けた送液ユニット１Ａ（１Ｂ）と、中空軸３の始端開口部へ通じる吸込口１２を開設してなる吸込ユニット１１Ａとの組合せからなり、単一または直列状に連接された複数の送液ユニット１Ａ（１Ｂ）の始端部へ吸込ユニット１１Ａを当接させた状態により、定着材により前記各ユニットが組立分割自在に連結されるよう構成し、且つ、前記各ユニット１Ａ（１Ｂ）の終端部を吐出配管１３の始端開口部１４へ着脱自在に接続する。【選択図】        図３
2006170157.tif 000002
【特許請求の範囲】
【請求項１】
ステータ内に嵌合されたロータの軸心を中空軸として回転時にその前端から後方へ向う液体移送手段を前記中空軸の内周面に設けてなる送液ユニットと、前記中空軸の始端開口部へ通じる吸込口を開設してなる吸込ユニットとの二種類のユニットの組合せからなり、単一または直列状に連接された複数の送液ユニットの始端部へ吸込ユニットを当接させた状態により、定着材により前記各ユニットが組立分割自在に連結されるよう構成し、且つ、前記送液ユニットの終端部を吐出配管の始端開口部へ着脱自在に接続される構造としたことを特徴とする、ユニット式中空軸ポンプ。
【請求項２】
ステータ内に嵌合されたロータの軸心を中空軸として回転時にその前端から後方へ向う液体移送手段を前記中空軸の内周面に設けてなる送液ユニットと、前記中空軸の始端開口部へ通じる吸込口を開設してなる吸込ユニットとの二種類のユニットの組合せからなり、単一または直列状に連接された複数の送液ユニットを複数組使用して並列に配列し、これら並列状に配列された各送液ユニットの始端部へ単一の吸込ユニットを一連状に当接させた状態により、定着材により前記各ユニットが組立分割自在に連結されるよう構成し、且つ、前記送液ユニットの終端部をそれぞれ個別の吐出配管の始端開口部へ着脱自在に接続される構造としたことを特徴とする、ユニット式中空軸ポンプ。
【請求項３】
送液ユニットは、各種形態の液体移送手段を中空軸内周面に設けたものが複数種類用意されており、揚送対象物の性状に適応したものを必要に応じ選択して組立てられることを特徴とする、請求項１および２記載のユニット式中空軸ポンプ。
【請求項４】
吸込ユニットは、各種形態の吸込口構造を有するものが複数種類用意されており、揚送対象物の性状に適応したものを必要に応じ選択して組立てられることを特徴とする、請求項１ないし３記載のユニット式中空軸ポンプ。
【請求項５】
各送液ユニットにおけるステータ端面と中空軸の開口端面とがほぼ面一状に構成されていることを特徴とする、請求項１ないし４記載のユニット式中空軸ポンプ。
【発明の詳細な説明】
【技術分野】
【０００１】
本発明は、ユニット式中空軸ポンプに関するものである。
【背景技術】
【０００２】
従来の中空軸ポンプは、液体移送手段を内装した送液部材が、吸込カバーおよび吐出カバーと一体状に結合した態様に構成されており、使用時に揚送物の性状に適したように、各構成部材を自由に取替えて対応することはできない構造となっている。また、送液ブレードを設けた中空軸の開口端がステータ端面よりも長く伸延されていて、ポンプ全長を短く構成することができない構造でもある（例えば、特許文献１参照。）。
【０００３】
上述のような従来の中空軸ポンプは、単にポンプ自体の全長を短く構成できないというだけではない。揚程を高くするため複数台を直列状に連結させる場合に、揚送部材同士を直接連結させることはできず、吸込カバーと吐出カバーを介しての連結となるため、全長の長さは極めて長大となり、必然的に連結台数が制約されることになる。また、各構成部材を自由に取替えることができない結果として、多様な揚送物の性状に適応した有効な揚送を行わせるためには、製造当初からそれぞれの用途ごとに専用に設計されたポンプが必要となる。
【特許文献１】特開昭４７−２９９０３号公報（第１図）
【発明の開示】
【発明が解決しようとする課題】
【０００４】
解決しようとする課題は、軸方向に短小化できて、複数台を直列状に連結することが容易となり、また、各構成部材を自由に取替えることによって、多様な揚送物の性状に適応した有効な揚送を行わせることのできる、ユニット式中空軸ポンプを提供することである。
【課題を解決するための手段】
【０００５】
本発明では、ステータ内に嵌合されたロータの軸心を中空軸として回転時にその前端から後方へ向う液体移送手段を前記中空軸の内周面に設けてなる送液ユニットと、前記中空軸の始端開口部へ通じる吸込口を開設してなる吸込ユニットとの二種類のユニットの組合せからなり、単一または直列状に連接された複数の送液ユニットの始端部へ吸込ユニットを当接させた状態により、定着材により前記各ユニットが組立分割自在に連結されるよう構成し、且つ、前記送液ユニットの終端部を吐出配管の始端開口部へ着脱自在に接続される構造としたことを最も主要な特徴とする。
【発明の効果】
【０００６】
本発明ユニット式中空軸ポンプによれば、送液ユニットが吸込ユニットと組立分割自在に連結されているので、多様な揚送物の性状に適応した部材を選択して有効な揚送を行わせることができ、また、液体移送手段を設けた中空軸の開口端面をステータ端面とほぼ面一状に構成することにより送液ユニットを軸方向に短小化でき、直列状に複数配列して揚程を高めることも容易であり、また、各送液ユニットの回転数を可変として揚送対象物の性状に見合った状態で運転させることもできる。また、単一の吸込ユニットに複数の送液ユニットを並列状に連結し、各送液ユニットをれぞれ個別の吐出配管に接続して複数方向へ同時に揚送させるなど、多様な使い方が可能である。
【発明を実施するための最良の形態】
【０００７】
ステータ内に嵌合されたロータの軸心を中空軸として回転時にその前端から後方へ向う液体移送手段を前記中空軸の内周面に設け中空軸の開口端面をステータ端面とほぼ面一状に構成してなる送液ユニットと、前記中空軸の始端開口部へ通じる吸込口を開設してなる吸込ユニットとの二種類のユニットの組合せからなり、単一または直列状に連接された複数の送液ユニットの始端部へ吸込ユニットを当接させた状態により、定着材により前記各ユニットが組立分割自在に連結されるよう構成し、且つ、前記送液ユニットの終端部を吐出配管の始端開口部へ着脱自在に接続される構造とする。また、送液ユニットは、各種形態の液体移送手段を中空軸内周面に設けたものが複数種類用意されており、揚送対象物の性状に適応したものを必要に応じ選択して組立てられるよう構成する。
【実施例１】
【０００８】
図１および図３において、１Ａは送液ユニットであり、ステータ２内に嵌合されたロータの軸心を中空軸３としてその内周面に送液ブレードを設けることにより、回転時にその前端から後方へ向う液体移送手段４ａが形成され、且つ、中空軸３の開口端面をステータ２の端面とほぼ面一状に構成し、または中空軸３をステータ２よりも若干短小に構成する。図２および図３において、１Ｂは前記とは異なる液体移送手段を有する送液ユニットであり、ステータ２内に嵌合されたロータの軸心を中空軸３としてその内周面を例えば螺旋状に曲成された全通過口径型に構成することにより、回転時にその前端から後方へ向う液体移送手段４ｂが設けられることになる。その他、揚送対象物の性状に適応させた各種形態の液体移送手段を有する複数種類の送液ユニットが用意される。なお、図１および図２において、６はステータコイル、７はロータコイル、８はベアリング、９はシール材、１０は天板である。図３において、１１Ａは吸込ユニットであり、前記中空軸３の始端開口部へ通じる吸込口１２が開設されているが、単純な円筒状のものに限らず、周壁がテーパ状に曲成されたもの（図示せず）、或いはストレーナ付きのもの（図示せず）、その他、揚送対象物の性状に適応させた各種形態の吸込口構造を有する吸込ユニットが複数種類用意される。
【０００９】
図３は、送液ブレードからなる液体移送手段４ａを有する送液ユニット１Ａを最前端に位置させ、螺旋状に曲成された全通過口径型の液体移送手段４ｂを有する送液ユニット１Ｂ，１Ｂを後接させて直列状に連接し、最前端の送液ユニット１Ａの前面に吸込ユニット１１Ａを当接させた状態により、例えば、定着用ボルトおよびナット等からなる定着材（図示せず）を用いて前記各ユニットを組立分割自在に連結させた事例である。そして同図に二点鎖線で示すよう、最後端の送液ユニット１Ｂの後面を吐出配管１３の始端開口部１４へ接続させる。このように送液ユニット１Ａの後端面に複数の送液ユニット１Ｂを直列状に配列させることにより、揚程を高くすることができる。そして各送液ユニットごとに回転数を可変でき、また、任意の種類の送液ユニットを選択して装着することにより、揚送物の性状に適応した有効な揚送を行わせることができる。単一の送液ユニット１Ａもしくは１Ｂの前面に吸込ユニット１１Ａを当接させた状態により定着材(図示せず)を用いて連結させてもよい。
【実施例２】
【００１０】
複数の送液ユニット１Ａ・・１Ａまたは１Ｂ・・１Ｂを並列状に配列し、これら並列状に配列された送液ユニット１Ａ・・１Ａまたは１Ｂ・・１Ｂの前面に単一の吸込ユニット１１Ｂを一連状に当接させた状態により、定着材を用いて連結し、前記各送液ユニット１Ａ・・１Ａまたは１Ｂ・・１Ｂの後面をそれぞれ個別の吐出配管１３・・１３の始端開口部１４・・１４へ接続することにより、それぞれ異なった場所へ同時に配送させることができる。
【００１１】
図４は、揚程が高められるよう送液ユニット１Ａ・・１Ａの後端面に直列所に多段連接された複数の送液ユニット１Ｂ・・１Ｂを複数組使用して並列状に配列し、各最前端の送液ユニットの前面に単一の吸込ユニット１１Ｂを一連状に当接させた状態により、定着材を用いて連結し、各最後端の送液ユニットの後面をそれぞれ個別の吐出配管１３・・１３の始端開口部１４・・１４へ接続した事例である。
【図面の簡単な説明】
【００１２】
【図１】本発明中空軸ポンプにおける送液ユニットの縦断側面図であって、送液ブレードからなる液体移送手段を中空軸内に設けた事例を示す。
【図２】本発明中空軸ポンプにおける送液ユニットの縦断側面図であって、螺旋状に曲成さた全通過口径型の液体移送手段を中空軸内に設けた事例を示す。
【図３】本発明中空軸ポンプの縦断側面図である。
【図４】本発明中空軸ポンプを並列状に配列させた複数の送液ユニットの始端部へ単一の吸込ユニットを一連状に連結させ終端部をそれぞれ個別の吐出配管へ接続した事例を示す側面図である。
【符号の説明】
【００１３】
１Ａ    送液ユニット
１Ｂ    送液ユニット
２      ステータ
３      中空軸
４ａ    液体移送手段
４ｂ    液体移送手段
１１Ａ    吸込ユニット
１１Ｂ    吸込ユニット
１２      吸込口
１３      吐出配管
１４      始端開口部
【図１】
2006170157.tif 000003
【図２】
2006170157.tif 000004
【図３】
2006170157.tif 000005
【図４】
2006170157.tif 000006